(57)【要約】【課題】礼法や作法に則った表書き等が素早く綺麗に印刷される祝儀袋又は不祝儀袋の印刷システムを提供する。【解決手段】印刷システムは、店内１１に設置された入力端末装置１２に、利用回数選択手段と、個人か又は法人かを選択する利用者選択手段と、用紙に印字される名前等を入力する入力手段と、入力した内容を確認のために入力端末装置の画面に表示するプレビュー手段と、表書き選択手段と、印刷する文字の字体選択手段と、利用料金の支払方法選択手段と、入力手段で入力した内容のデータを送信して印刷を指示する印刷指示手段と、入力手段で入力した内容のデータを利用者の携帯電子機器等にデータ登録するか否かを選択するデータ登録選択手段とを備える。【選択図】図１
2016198906.tif 000002
【特許請求の範囲】
【請求項１】
店内に設置された入力端末装置を操作して専用の用紙に印字を行う祝儀袋又は不祝儀袋の印刷システムであって、
該印刷システムは、キーボード又はタッチパネルで操作する前記入力端末装置に、
利用者が初めての利用か又は２回目以降の利用かを選択する利用回数選択手段と、
利用者が個人か又は法人かを選択する利用者選択手段と、
前記用紙に印字される少なくとも名前、住所、金額を入力する入力手段と、
前記入力手段に従って入力した内容を確認のために前記入力端末装置の画面に表示するプレビュー手段と、
冠婚葬祭における表書き選択手段と、
印刷する文字の字体選択手段と、
利用料金の支払い方法を選択する支払方法選択手段と、
前記入力手段で入力した内容のデータを印刷装置に送信して印刷を指示する印刷指示手段と、
前記入力手段で入力した内容のデータを利用者の携帯電子機器又はデータ保存装置にデータ登録するか否かを選択するデータ登録選択手段と
を少なくとも備えることを特徴とする祝儀袋又は不祝儀袋の印刷システム。
【請求項２】
前記利用者選択手段における選択後には、お祝い又は香典の金額の目安が前記入力端末装置の画面に表示されること
を特徴とする請求項１に記載の祝儀袋又は不祝儀袋の印刷システム。
【請求項３】
前記印刷指示手段における選択後には、前記用紙の折り方又は使い方が前記入力端末装置の画面に表示されること
を特徴とする請求項１に記載の祝儀袋又は不祝儀袋の印刷システム。
【発明の詳細な説明】
【技術分野】
【０００１】
本発明は、コンビニエンスストア、書店あるいは文具店等の店内に設置された入力端末装置を操作して、専用の用紙に所定の印字を行う祝儀袋又は不祝儀袋の印刷システムに関するものである。
【背景技術】
【０００２】
従来、冠婚葬祭等のときに用いる祝儀袋又は不祝儀袋には、お祝い事や仏事等の表書き、氏名又は会社名、住所、及び金額等の種々な記載を所定の礼法、作法に則って行う必要がある。
【０００３】
しかしながら、冠婚葬祭等の儀礼の簡素化、略式化や、毛筆を用いない筆離れが時代の趨勢でもあり、そのような現状から筆書き等の筆記具での記載に代えて、ゴム印やスタンプを押して済ます場合も少なくない。
【０００４】
なお、特開２００４−１０２３６６号公報には、コンビニエンスストア等に設置される印刷装置を用いて様々な情報を印刷する印刷システムの発明が開示されている（特許文献１参照）。
【先行技術文献】
【特許文献】
【０００５】
【特許文献１】特開２００４−１０２３６６号公報
【発明の概要】
【発明が解決しようとする課題】
【０００６】
従来の祝儀袋や不祝儀袋については、礼法、作法に則った、表書き、住所、氏名の書き方等が分からないことも多く、その場合は祝儀袋等の準備に際して困惑することになる。例えば、役職名や連名での記載方法や、「御霊前」「御仏前」「御香典」「御花料」の明確な違い等々は不知の場合も多いと思われる。
【０００７】
特に、突然の葬儀等においては、礼法、作法に則った書き方等を調べる時間的な余裕が無く、また、不祝儀袋や筆記具を準備する必要も相俟って厄介な事態となる。
【０００８】
さらに、手書きによる宛名書き等が苦手な者もいる。しかしながら、ゴム印やスタンプを押して済ますことは礼儀を欠いて失礼だという考え方もある。
【０００９】
従って、従来例における祝儀袋や不祝儀袋においては、礼法、作法に則った表書き、住所、氏名、金額等が、その場で素早く綺麗に印刷できるような仕組みを構築することに解決しなければならない課題を有している。
【課題を解決するための手段】
【００１０】
前記従来例の課題を解決するための本発明の要旨は、店内に設置された入力端末装置を操作して専用の用紙に印字を行う祝儀袋又は不祝儀袋の印刷システムであって、該印刷システムは、キーボード又はタッチパネルで操作する前記入力端末装置に、利用者が初めての利用か又は２回目以降の利用かを選択する利用回数選択手段と、利用者が個人か又は法人かを選択する利用者選択手段と、前記用紙に印字される少なくとも名前、住所、金額を入力する入力手段と、前記入力手段に従って入力した内容を確認のために前記入力端末装置の画面に表示するプレビュー手段と、冠婚葬祭における表書き選択手段と、印刷する文字の字体選択手段と、利用料金の支払い方法を選択する支払方法選択手段と、前記入力手段で入力した内容のデータを印刷装置に送信して印刷を指示する印刷指示手段と、前記入力手段で入力した内容のデータを利用者の携帯電子機器又はデータ保存装置にデータ登録するか否かを選択するデータ登録選択手段とを少なくとも備えることである。
【００１１】
また、前記利用者選択手段における選択後には、お祝い又は香典の金額の目安が前記入力端末装置の画面に表示されること、；
前記印刷指示手段における選択後には、前記用紙の折り方又は使い方が前記入力端末装置の画面に表示されること、；
を含むものである。
【発明の効果】
【００１２】
本発明に係る祝儀袋又は不祝儀袋の印刷システムによれば、各手段の操作画面に沿って入力端末装置を操作すれば、礼法、作法に則った表書き、住所、氏名、金額等がその場で素早くかつ綺麗に印刷できるので、必要に応じた最適な祝儀袋又は不祝儀袋を簡単に作成することができる。
また、入力した内容のデータを利用者の携帯電子機器又はデータ保存装置にデータ登録することが可能である。この場合、登録したときは次回以降の利用時に読取機にかざす等することで、一部の操作画面を省略して次の操作画面が表示されて、改めて氏名等を入力する必要がない。
【００１３】
利用者選択手段における選択後には、お祝い又は香典の金額の目安が入力端末装置の画面に表示されることによって、利用者がお祝い事や仏事等に応じた最適な金額を知ることができるという優れた効果を奏する。
【００１４】
印刷指示手段における選択後には、用紙の折り方又は使い方が入力端末装置の画面に表示されることによって、祝儀袋又は不祝儀袋を正確に作成することができるという優れた効果を奏する。
【図面の簡単な説明】
【００１５】
【図１】店内１１に設置された入力端末装置１２を略示的に示す説明図である。
【図２】利用回数選択手段の操作画面１３である。
【図３】詳細な利用時の注意点の画面１６である。
【図４】簡易な利用時の注意点の画面１７である。
【図５】利用者選択手段の操作画面２０である。
【図６】お祝い又は香典の金額の目安の画面２３である。
【図７】お名前等の入力の画面２６である。
【図８】入力情報のプレビュー画面３３である。
【図９】会社名等の入力の画面３７である。
【図１０】入力情報のプレビュー画面４６である。
【図１１】表書き選択手段の操作画面３６である。
【図１２】お祝いの表書きの候補の画面８９である。
【図１３】仏事の表書きの候補の画面９０である。
【図１４】その他の表書きの候補の画面９１である。
【図１５】字体選択手段の操作画面６５である。
【図１６】支払方法選択の操作画面７１である。
【図１７】入金確認の画面７８である。
【図１８】データ登録の操作画面８１である。
【図１９】用紙の折り方又は使い方の説明の画面８５である。
【図２０】終了画面８７である。
【図２１−１】本発明に係る祝儀袋又は不祝儀袋の印刷システムのフローチャートである。
【図２１−２】本発明に係る祝儀袋又は不祝儀袋の印刷システムのフローチャートである。
【発明を実施するための形態】
【００１６】
次に、本発明の祝儀袋又は不祝儀袋の印刷システムについて図面を参照しながら説明する。利用者は店内１１に設置された入力端末装置１２を操作して専用の用紙に印字を行う（図１参照）。入力端末装置１２は、タッチパネル、キーボード、又はマウスを使用する場合があるが、各図においてはタッチパネル１２ａの画面を示して説明する。また、入力端末装置１２は、祝儀袋又は不祝儀袋専用の専用機だけでなく、他の機能を備える汎用機であってもよい。
【００１７】
図２は、入力端末装置１２のタッチパネル１２ａの画面であり、利用者が初めての利用か又は２回目以降の利用かを選択する利用回数選択手段の操作画面１３である。利用者は「初めての利用」の表示１４、又は「２回目以降の利用」の表示１５をタッチする。
【００１８】
「初めての利用」の表示１４をタッチした場合は、図３に示すように詳細な利用時の注意点の画面１６が表示される。また、「２回目以降の利用」の表示１５をタッチした場合は、図４に示すように簡易な利用時の注意点の画面１７が表示される。従って、利用者には利用経験の有無に応じた利用時の注意点を案内することができる。
【００１９】
詳細な利用時の注意点の画面１６又は簡易な利用時の注意点の画面１７のそれぞれ「前へ戻る」の表示１８をタッチすると、利用回数選択手段の操作画面１３が表示されて、利用者は選択をやり直すことができる。
【００２０】
詳細な利用時の注意点の画面１６又は簡易な利用時の注意点の画面１７のそれぞれ「確認」の表示１９をタッチすると、図５に示す、利用者が個人か又は法人かを選択する利用者選択手段の操作画面２０が表示される。
【００２１】
利用者が個人か又は法人かを選択する利用者選択手段の操作画面２０は、「個人」の表示２１と、「法人」の表示２２とがあり、利用者は対応する表示をタッチする。「前へ戻る」の表示９２をタッチすると、詳細な利用時の注意点の画面１６又は簡易な利用時の注意点の画面１７が表示されて、利用者は入力をやり直すことができる。
【００２２】
「個人」の表示２１又は「法人」の表示２２をタッチした後には、いずれの場合も図６に示す、お祝い又は香典の金額の目安の画面２３が表示される。利用者はお祝い事や仏事等に応じた最適な金額を知ることができる。
【００２３】
お祝い又は香典の金額の目安の画面２３の「前へ戻る」の表示２４をタッチすると、「個人」の表示２１又は「法人」の表示２２が表示されて、利用者は選択をやり直すことができる。
【００２４】
お祝い又は香典の金額の目安の画面２３の「次へ」の表示２５をタッチすると、「個人」の表示２１をタッチしている場合は、図７に示す、お名前等の入力の画面２６が表示される。利用者は、お名前の欄２７と、郵便番号の欄２８と、住所の欄２９と、金額の欄３０とを、文字盤の表示３１を適宜にタッチして入力する。各欄を修正する場合は、「修正」の表示３２をタッチしてから適宜に修正する。お名前の欄２７は、複数段設けられているので複数の名前を入力することができる。
【００２５】
各欄２７、２８、２９、３０の入力が全て終了すると、図８に示す、入力情報のプレビュー画面３３が表示されて、利用者は、入力情報の内容を確認することができる。「前へ戻る」の表示３４をタッチすると、お名前等の入力の画面２６が表示されて、利用者は入力をやり直すことができる。入力情報が正しければ、「次へ」の表示３５をタッチして、次の表書き選択手段の操作画面３６へ進む。
【００２６】
また、お祝い又は香典の金額の目安の画面２３の「次へ」の表示２５をタッチすると、「法人」の表示２２をタッチしている場合は、図９に示す、お名前等の入力の画面３７が表示される。利用者は、会社名の欄３８と、肩書の欄３９と、お名前の欄４０と、郵便番号の欄４１と、住所の欄４２と、金額の欄４３とを、文字盤の表示４４を適宜にタッチして入力する。各欄を修正する場合は、「修正」の表示４５をタッチしてから適宜に修正する。お名前の欄４０は、複数段設けられているので複数の名前を入力することができる。
【００２７】
各欄３８、３９、４０、４１、４２、４３の入力が全て終了すると、図１０に示す、入力情報のプレビュー画面４６が表示されて、利用者は、入力情報の内容を確認することができる。「前へ戻る」の表示４７をタッチすると、お名前等の入力の画面３７が表示されて、利用者は入力をやり直すことができる。入力情報が正しければ、「次へ」の表示４８をタッチして、次の表書き選択手段の操作画面３６に進む。
【００２８】
表書き選択手段の操作画面３６は、図１１に示すように、「お祝い」の表示４９と、「仏事」の表示５０と、「その他」の表示５１とがあり、利用者は対応する表示をタッチする。「前へ戻る」の表示５２をタッチすると、お名前等の入力の画面２６又は３７が表示されて、利用者は入力をやり直すことができる。「次へ」の表示５３をタッチすると、それぞれ対応する表書きの候補が複数表示される。
【００２９】
図１２は、お祝いの表書きの候補の画面８９であり、利用者は「御祝い」の表示５４、「入園祝」の表示５５、「結婚祝」の表示５６等の候補の中から対応する表示をタッチする。
【００３０】
図１３は、仏事の表書きの候補の画面９０であり、利用者は「御霊前」の表示５７、「御仏前」の表示５８、「御花料」の表示５９等の候補の中から対応する表示をタッチする。
【００３１】
図１４は、その他の表書きの候補の画面９１であり、利用者は「御出産祝」の表示６０、「御見舞」の表示６１、「御餞別」の表示６２等の候補の中から対応する表示をタッチする。これら候補の中に希望する表書きがない場合は、その他手入力も可能である。
また、「前へ戻る」の表示６３をタッチすると、表書き選択手段の操作画面３６が表示されて、利用者は入力をやり直すことができる。「次へ」の表示６４をタッチすると、印刷する文字の字体選択手段の操作画面６５が表示される。
【００３２】
印刷する文字の字体選択手段の操作画面６５は、図１５に示すように、「行書体」の表示６６と、「明朝体」の表示６７と、「正楷書体」の表示６８とがあり、利用者は好みの書体の表示をタッチする。なお、ここに上げる字体は例示であって、字体の適宜追加や変更が可能であることは勿論である。
また、「前へ戻る」の表示６９をタッチすると、表書きの候補の画面が表示されて、利用者は選択をやり直すことができる。「次へ」の表示７０をタッチすると、確認画面及び利用料金の支払い方法を選択する支払方法選択の操作画面７１が表示される。
【００３３】
確認画面及び利用料金の支払い方法を選択する支払方法選択の操作画面７１は、図１６に示すように、字体の確認と共に、(１)「機器本体へ直接入金」の表示７２と、(２)「機器本体で各種カードを読み取り支払」の表示７３と、(３)「機器本体より引換紙がプリントされてレジにて支払」の表示７４とがあり、利用者は希望する表示をタッチする。なお、ここに上げる支払方法は例示であって、これら以外の種々な支払方法であってもよいことは勿論である。
また、領収書が必要であれば「領収書」の表示７５をタッチする。「前へ戻る」の表示７６をタッチすると、印刷する文字の字体選択手段の操作画面６５が表示されて、利用者は選択をやり直すことができる。「次へ」の表示７７をタッチすると、入金確認の画面７８が表示される。
【００３４】
図１７に示す入金確認の画面７８では、「印刷」の表示７９をタッチすると、入力した内容のデータを印刷装置に送信して印刷が開始される。また、データをスマートフォン等に登録する場合には、「次へ」の表示８０をタッチする。
【００３５】
データ登録の画面８１では、図１８に示すように、「登録」の表示８２をタッチして、スマートフォン等を読取口にかざすことで登録が完了する。また、登録が完了すると「印刷」の表示８３が点滅するので、タッチすると入力した内容のデータを印刷装置に送信して印刷が開始される。「前へ戻る」の表示８４をタッチすると、入金確認の画面７８が表示されて、利用者は選択をやり直すことができる。
【００３６】
「印刷」の表示７９、８３をタッチした後には、図１９に示すように、用紙の折り方又は使い方の画面８５が動画又は静止画で表示されて、利用者は、祝儀袋又は不祝儀袋を正確に作成することができる。「説明を終える」の表示８６をタッチすると、説明は終了して、図２０に示す終了画面８７で「ご利用ありがとうございました」の表示８８がなされる。
【００３７】
以上説明したように、本発明に係る祝儀袋又は不祝儀袋の印刷システムは、タッチパネル等で操作する入力端末装置に上記の各手段がプログラムされているので（図２１−１、図２１−２参照）、各手段の操作画面に沿って操作すれば、礼法、作法に則った表書き、住所、氏名、金額等がその場で素早くかつ綺麗に印刷できる。つまり、必要に応じた最適な祝儀袋又は不祝儀袋を簡単に作成できるのである。
また、入力した内容のデータを利用者のスマートフォン（携帯電子機器）又はデータ保存装置（メモリースティック等）にデータ登録することが可能である。この場合、登録したときは次回以降の利用時に、読取機にかざす等することで、一部の操作画面を省略して次の操作画面（例えば、お名前等の入力の画面２６又は３７、表書き選択手段の操作画面３６等）が表示されて、改めて氏名等を入力する必要がない。
【符号の説明】
【００３８】
１１  店内
１２  入力端末装置
１２ａタッチパネル
１３  利用回数選択手段の操作画面
１４  「初めての利用」の表示
１５  「２回目以降の利用」の表示
１６  詳細な利用時の注意点の画面
１７  簡易な利用時の注意点の画面
１８  「前へ戻る」の表示
１９  「確認」の表示
２０  利用者選択手段の操作画面
２１  「個人」の表示
２２  「法人」の表示
２３  お祝い又は香典の金額の目安の画面
２４  「前へ戻る」の表示
２５  「次へ」の表示
２６  お名前等の入力の画面
２７  お名前の欄
２８  郵便番号の欄
２９  住所の欄
３０  金額の欄
３１  文字盤の表示
３２  「修正」の表示
３３  入力情報のプレビュー画面
３４  「前へ戻る」の表示
３５  「次へ」の表示
３６  表書き選択手段の操作画面
３７  お名前等の入力の画面
３８  会社名の欄
３９  肩書の欄
４０  お名前の欄
４１  郵便番号の欄
４２  住所の欄
４３  金額の欄
４４  文字盤の表示
４５  「修正」の表示
４６  入力情報のプレビュー画面
４７  「前へ戻る」の表示
４８  「次へ」の表示
４９  「お祝い」の表示
５０  「仏事」の表示
５１  「その他」の表示
５２  「前へ戻る」の表示
５３  「次へ」の表示
５４  「御祝い」の表示
５５  「入園祝」の表示
５６  「結婚祝」の表示
５７  「御霊前」の表示
５８  「御仏前」の表示
５９  「御花料」の表示
６０  「御出産祝」の表示
６１  「御見舞」の表示
６２  「御餞別」の表示
６３  「前へ戻る」の表示
６４  「次へ」の表示
６５  印刷する文字の字体選択手段の操作画面
６６  「行書体」の表示
６７  「明朝体」の表示
６８  「正楷書体」の表示
６９  「前へ戻る」の表示
７０  「次へ」の表示
７１  支払方法選択の画面
７２  「機器本体へ直接入金」の表示
７３  「機器本体で各種カードを読み取り支払」の表示
７４  「機器本体より引換紙がプリントされてレジにて支払」の表示
７５  「領収書」の表示
７６  「前へ戻る」の表示
７７  「次へ」の表示
７８  入金確認の画面
７９  「印刷」の表示
８０  「次へ」の表示
８１  データ登録の画面
８２  「登録」の表示
８３  「印刷」の表示
８４  「前へ戻る」の表示
８５  用紙の折り方又は使い方の画面
８６  「説明を終える」の表示
８７  終了画面
８８  「ご利用ありがとうございました」の表示
８９  お祝いの表書きの候補の画面
９０  仏事の表書きの候補の画面
９１  その他の表書きの候補の画面
９２  「前へ戻る」の表示
【図１】
2016198906.tif 000003
【図２】
2016198906.tif 000004
【図３】
2016198906.tif 000005
【図４】
2016198906.tif 000006
【図５】
2016198906.tif 000007
【図６】
2016198906.tif 000008
【図７】
2016198906.tif 000009
【図８】
2016198906.tif 000010
【図９】
2016198906.tif 000011
【図１０】
2016198906.tif 000012
【図１１】
2016198906.tif 000013
【図１２】
2016198906.tif 000014
【図１３】
2016198906.tif 000015
【図１４】
2016198906.tif 000016
【図１５】
2016198906.tif 000017
【図１６】
2016198906.tif 000018
【図１７】
2016198906.tif 000019
【図１８】
2016198906.tif 000020
【図１９】
2016198906.tif 000021
【図２０】
2016198906.tif 000022
【図２１−１】
2016198906.tif 000023
【図２１−２】
2016198906.tif 000024